(57)【要約】【課題】    なべのふたを簡単に、場所を取らずに、効率よく収納するために、一本のステンレスの金属棒を折り曲げて、溶接などしないで、製作したい。【解決手段】  本考案は直径３ミリほどの一本のステンレス金属棒を折り曲げてつくる。そのために、硬い板で１２×１０ほどの四角形で、その下部の両端を２センチ四方ほど切り取った物体を２枚つくり、そのうち一枚の側面に、上部中央を凹型にへこませた、図形になるよう間隔をあけて、釘を打ちつけ、頭を切り取り、出っ張りをつくる。２枚のうち、１枚には片側の側面にしか、釘をうたない。その片側には、釘にあう位置に穴をあける。この釘の出っ張りにそって金属棒を折り曲げて、１個めの終点にきたら、２個目の物体の釘のついてない側面を合わせるようにつけ、穴にはめて、その下をくぐって上に折り曲げていき、終点の下角まで釘に沿って折りまげ続ける。折り曲げられた金属棒を取り外せば、なべふた置きの出来上がりである。【選択図】    図５
2005177395.tif 000002
【特許請求の範囲】
【請求項１】
硬い木板で、１１×１２センチほどの四角形を作り、その下部の左右端を２センチ四方ほど切り取り、これを６センチほどの間隔をあけて、２枚ならべ、下の切り込み上部を別の四角形の板でつなげる。この物体を２個作る。そのうちの１個の左右の板の表側に、上辺が凹型にへこんだ四角に近い図形が描けるように要所要所に釘を打ち込み出っ張りをつける。釘の頭を切り取る、これを、物体Ａとする。さらに、つづいて、もう１個の物体の片側側面の表側に、同様に釘を打ちつけ、頭をとり、出っ張りをつける。さらに、その反対側の表面に、釘の出っ張りに合うような位置、図４の丸に穴を空ける。これを、物体Ｂとする。次に、直径３ミリほどの一本のステンレス金属棒を、物体Ａの側面の左の下角、図面２の１を出発点として、打ちつけた釘の出っ張りにそって、上、横、下と折り曲げていく、この際、図２の２に着たら、釘と釘の間をとおるようにおりまげる。折り曲げ先が右側の下角、図面２の３にきたら、板の下の出っ張りの切り込み図面２の４にそって、底面下をくぐらせて、さらに折り曲げていく。折り曲げ先が片側の側面板の表側にきたら、そこについてる釘の出っ張りにそって、さらに、上、横、下と折り曲げていく。折り曲げ先が左下角にきたら、物体Ｂの釘の出っ張りがない、穴のあいた側面を並列にくつつけてならべ、穴に釘の出っ張りをはめて、固定する。その正面図は図５に見られる。さらに、いままで折り曲げていたステンレス金属棒の先を、その下部の出っ張りの切り込み、図４の５にそって、下をくぐらせ、折り曲げていく、はめた板の釘の出っ張りがついた側面にきたら、その釘にそって上に折り曲げ、横、下と曲げ続け、下角、図５の６にきたら、出っ張りの切込み図５の７にそって、下をくぐらせ、板にそって、横直角に折り曲げ、下をくぐらせ、ぐるりと一回りするように折り曲げ、図９の８で終了する。次に、金属棒を板からとりはずす。一本の金属棒を連結して折り曲げた、なべふた置きの出来上がりである。
以上の様に、上部の中央を凹型にへこませた四角形枠を３個、並列に、６センチほどの間隔をあけてならべた形で、この凹型のへこみに、なべのつまみの出っ張りを、引っ掛けて、固定する仕組みのステンレス金属棒製のなべふた置きを一本の金属棒を連結させて折り曲げて製作する製造装置。
【請求項２】
本発明装置によって製造される上部中央に凹型のへこみのある四角形枠を６センチほどの間隔をあけて並列にならべ、下部を長方形の枠で立つようにし、その上部のへこみ部分に、なべのふたのつまみの出っ張りをひっかけて固定するステンレス金属棒製のなべふた置き。
【発明の詳細な説明】
【技術分野】
【０００１】本考案は、従来より、効率よく置き、調理台の使いかってを良くするなべふた置きを、一本のステンレス金属棒を連結させて折り曲げて作る製法である。
【背景技術】
【０００２】    従来もなべふた置きはいろいろあるが、完全にいいものとはいえない。溶接など用いて，製作工程が面倒である。
【発明が解決しようとする課題】
【０００３】    今までに無い形の効率よいなべふた置きを、溶接など、使わず折り曲げて、製作したい。
【課題を解決するための手段】
【０００４】本考案は、一本のステンレス金属棒を折り曲げて、３枚のなべふたを場所をとらずにおけるように、工夫し課題を解決している。
【発明の効果】
着脱を簡単に、場所を取らずに、効率よく収納できるなべふた置きを、一本のステンレス金属棒を溶接なとしないで、手で折り曲げることにより製作できる。
【発明を実施するための最良の形態】    材料のステンレス金属棒は加工がしやすい程度のやわらかさと形がくずれない硬さを兼ね備える事が最も良い。金属棒を折り曲げるために使う物体を作るための板は、硬くて丈夫なものが良い。
【実施例】  硬い木板で、それを９０度回転させた左右の側面板の下部を底面よりさらに下に数センチ出っ張るように伸ばし、その出っ張りの左右端を１センチほど切り取った物体を２個作る。そのうちの１個の左右の板の表側に、上辺が凹型にへこんだ四角形が描けるように要所要所に釘を打ち込み出っ張りをつける。これを、物体Ａとする。さらに、つづいて、もう１個のコの字型物体の片側側面の表側に、同様に釘を打ちつけ出っ張りをつける。これを、物体Ｂとする。次に、直径３ミリほどの一本のステンレス金属棒を、物体Ａの側面の左の下角を出発点として、打ちつけた釘の出っ張りにそって、折り曲げていく、折り曲げ先が右側の下角にきたら、板の下の出っ張りの切り込みにそって、底面下をくぐらせて、さらに折り曲げていく。折り曲げ先が片側の側面板の表側にきたら、そこについてる釘の出っ張りにそって、さらに折り曲げていく。折り曲げ先が左下角にきたら、物体Ｂの釘の出っ張りがない側面を並列にくっつけてならべ、その下部の出っ張りの切り込みにそって、下をくぐらせ、折り曲げていく、反対側の釘の出っ張りがついた側面にきたら、その釘にそって上に折り曲げ、横、下と曲げ続け、下角にきたら、出っ張りの切込みにそって、下をくぐらせ、物体Ａの左側側面の下角の切り込みまできたら、板にそって、直角に折り曲げ、下角の出っ張りの切り込みをさらに直角に折り曲げ、下をくぐらせ、ぐるりと一回りするように折り曲げる。ここで、終了し、金属棒を板からとりはずす。一本の金属棒を連結して折り曲げた、なべふた置きの出来上がりである。
【産業上の利用可能性】  溶接など使わずに加工できるので、大気汚染防止、電力，化学薬品などの節約に貢献する。
【図面の簡単な説明】
【図１】本考案によるなべふた置きを作成するための物体Ａの正面図である。
【図２】本考案のなべふた置きを作成するための物体Ａの側面図である。
【図３】本考案によるなべふた置きを作成するための物体Ｂの正面図である。
【図４】同なべふた置きを作成するための物体Ｂの左側側面図である。
【図５】物体Ａに物体Ｂをならべて、穴に釘をはめた上体の正面図である。
【図６】本考案によるふた置きなべの斜め正面図である。
【図７】同なべふた置きの側面図である。
【図８】同なべふた置きの正面図である。
【図９】同なべふた置きの平面図である。
【図１】
2005177395.tif 000003
【図２】
2005177395.tif 000004
【図３】
2005177395.tif 000005
【図４】
2005177395.tif 000006
【図５】
2005177395.tif 000007
【図６】
2005177395.tif 000008
【図７】
2005177395.tif 000009
【図８】
2005177395.tif 000010
【図９】
2005177395.tif 000011